(57)【要約】【課題】複写シートを容易に封緘できる封筒付き複写帳票を提供する。【解決手段】封筒付き複写帳票１０は、表紙部分にタック紙１５が使用され、これと複写シート１２、１３とが冊子状に丁合される。タック紙１５は、その内側周縁部分の剥離シート１８が剥がされると共に２つ折りにされ、接着剤層１７が貼り合わされることで複写シート１２、１３を内包した封筒形態となり、複写シート１３、１４を切り取ることなく封緘することができる。【選択図】図１
2006315358.tif 000002
【特許請求の範囲】
【請求項１】
封筒用の基材シートと、
前記基材シートの内面の少なくとも周縁部に形成された接着剤層と、
前記接着剤層に剥離可能に貼付された剥離シートと、
前記剥離シートの周縁部であって前記接着剤層の接着代の幅分内側に形成され、その接着代に対応する前記剥離シートを分離する剥離用切り取り予定線と、
前記剥離シートの端部に固定され、前記接着代の少なくとも一部を余す分だけ前記基材シートよりも小さいサイズの２枚以上の複写シートとを備え、
前記剥離用切り取り予定線により前記剥離シートの一部を剥離して前記接着代を表出させ、前記基材シートを２つ折りすることにより前記接着代で封緘し、前記複写シートを内包する封筒とすること、
を特徴とする封筒付き複写帳票。
【請求項２】
請求項１に記載の封筒付き複写帳票において、
前記基材シート、前記接着剤層及び前記剥離シートは、タック紙であること、
を特徴とする封筒付き複写帳票。
【請求項３】
請求項１又は請求項２に記載の封筒付き複写帳票において、
前記基材シート、前記接着剤層、前記剥離シートには、開封用切り取り予定線が形成されていること、
を特徴とする封筒付き複写帳票。
【請求項４】
請求項３に記載の封筒付き複写帳票において、
前記開封用切り取り予定線は、さらに前記複写シートに形成されていること、
を特徴とする封筒付き複写帳票。
【発明の詳細な説明】
【技術分野】
【０００１】
本発明は、複写式の冊子を封筒に封緘する形態の口座振替申込書などに用いられる封筒付き複写帳票に関するものである。
【背景技術】
【０００２】
従来、この種の帳票は、例えば金融サービス商品などに対して個々に用意される申込用紙、説明事項記載書などの関係書類、返信用の封筒を一体的に取り扱い、これらが散逸しないようにしたものが知られている（例えば、特許文献１）。
特許文献１に記載の封筒付複写帳票は、２つ折りされた表紙の中央部分に説明事項が記載された用紙が丁合され、２つ折りされたうちの一方の表紙に、所定枚の同時複写可能な申込用紙を分離可能に綴じ合わせると共に、他方の表紙に表紙から分離可能な封筒が形成されていた。
【０００３】
しかし、この従来の封筒付複写帳票は、封筒及び申込用紙の両方を表紙から切り離す必要があり、申込用紙を封緘するまでの作業が煩雑である。特に、申込用紙がノーカーボン複写シートの場合、申込用紙は、挿入時に爪で引っ掻くなど圧力が加わると発色剤が顕色し、判読時に支障をきたすことがあるため、表紙から切り離す際や封筒に挿入する際の取り扱いに注意が必要であった。
また、封筒は、２枚のシートを重ね、これらの縁部を接着剤で貼り合わせた製袋加工により作製され、ベロ（フラップ）の箇所に両面テープが貼り込まれているなど、構造が複雑である。
【０００４】
【特許文献１】特開平０７−２３７３７３号公報
【発明の開示】
【発明が解決しようとする課題】
【０００５】
本発明の課題は、複写シートを容易に封緘できる封筒付き複写帳票を提供することである。
【課題を解決するための手段】
【０００６】
本発明は、以下のような解決手段により、前記課題を解決する。
請求項１の発明は、封筒用の基材シートと、前記基材シートの内面の少なくとも周縁部に形成された接着剤層と、前記接着剤層に剥離可能に貼付された剥離シートと、前記剥離シートの周縁部であって前記接着剤層の接着代の幅分内側に形成され、その接着代に対応する前記剥離シートを分離する剥離用切り取り予定線と、前記剥離シートの端部に固定され、前記接着代の少なくとも一部を余す分だけ前記基材シートよりも小さいサイズの２枚以上の複写シートとを備え、前記剥離用切り取り予定線により前記剥離シートの一部を剥離して前記接着代を表出させ、前記基材シートを２つ折りすることにより前記接着代で封緘し、前記複写シートを内包する封筒とすること、を特徴とする封筒付き複写帳票である。
【０００７】
請求項２の発明は、請求項１に記載の封筒付き複写帳票において、前記基材シート、前記接着剤層及び前記剥離シートは、タック紙であること、を特徴とする封筒付き複写帳票である。
請求項３の発明は、請求項１又は請求項２に記載の封筒付き複写帳票において、前記基材シート、前記接着剤層、前記剥離シートには、開封用切り取り予定線が形成されていること、を特徴とする封筒付き複写帳票である。
請求項４の発明は、請求項３に記載の封筒付き複写帳票において、前記開封用切り取り予定線は、さらに前記複写シートに形成されていること、を特徴とする封筒付き複写帳票である。
【発明の効果】
【０００８】
以上説明したように、本発明によれば、以下のような効果がある。
（１）基材シートは、２つ折りされることで複写シートを内包した状態で接着剤層が貼り合わされるので、封筒付き複写帳票は、複写シートを封入した状態の封書形態へ簡単に変形し、複写シートを容易に封緘できる。複写シートは、剥離シートから切り離す必要がないので、封筒に挿入する際に爪で引っ掻くなどの危険性が減少する。
（２）基材シート、接着剤層及び剥離シートは、タック紙であり、封筒部分は、この一枚のタック紙によって形成されるので、封筒付き複写帳票は、両面テープ等が不要であり低コストで製造できる。
（３）基材シート、接着剤層及び剥離シートからなる封筒部分は、開封用切り取り予定線に沿って開封することができるので、開封が容易である。
（４）開封用切り取り予定線は、複写シートにも形成されているので、複写シートは、容易に封筒部分から切り離すことができる。
【発明を実施するための最良の形態】
【０００９】
本発明は、複写シートを容易に封緘できる封筒付き複写帳票を得るという目的を、封筒部分にタック紙を使用すると共に、複写シートを一体的に丁合し、タック紙を二つ折りすることで複写シートを内包した封書形態に変形させることによって実現する。
【実施例】
【００１０】
以下、図面を参照して、本発明の実施例をあげて、さらに詳しく説明する。
図１は、本発明による封筒付き複写帳票の実施例を示す側面図である。図２（ａ）〜（ｄ）は、図１の封筒付き複写帳票を構成する各用紙を個別に示す平面図である。図３は、図１の封筒付き複写帳票における各用紙の配置を示す分解図である。
【００１１】
実施例の封筒付き複写帳票１０は、図３に示すように、表側から順に１枚目（１ｐｔ）のコート紙１１と、２枚目（２ｐｔ）のノーカーボントップ紙１２（以下、「トップ紙１２」という）と、３枚目（３ｐｔ）のノーカーボンミドル紙１３（以下、「ミドル紙１３」という）と、４枚目（４ｐｔ）のノーカーボンボトム紙１４（以下、「ボトム紙１４」という）と、５枚目のタック紙１５（５ｐｔ）とが、層状に重ねて配置された合計５ｐｔからなる冊子状の帳票である。
【００１２】
これらの各用紙１１〜１５は、概ね長方形に形成されたシート材であり、以下、長辺方向を左右方向、短辺方向を上下方向とし、図２及び図３に表れている面を表面として説明する。また、１インチは、２５．４ｍｍに相当するものとして説明する。
各用紙１１〜１５は、丁合部１９、耳部（マージナル部）２０、ミシン目Ｍ４（開封用切り取り予定線）、ミシン目Ｍ５を備えている。
【００１３】
耳部２０は、各用紙１１〜１５の左端部、及び、タック紙１５の右端部に沿って上下方向に延在する帯状の領域であり、本実施例では、その幅方向の寸法は、例えば０．５インチ（１２．７ｍｍ。以下、同じ）となっている。この耳部２０は、複数のスプロケットホールを備えている。
ミシン目Ｍ５は、耳部２０と各用紙１１〜１５の他の部分との境界部に形成され、耳部２０は、各用紙１１〜１５からミシン目Ｍ５に沿って切り離すことができるようになっている。本実施例のミシン目Ｍ５は、各用紙１１〜１５の左端部より、例えば０．５インチ内側の部分、及び、タック紙１５の右端部より、例えば０．５インチ内側の部分にそれぞれ各用紙１１〜１５の短辺方向と略平行に形成されている。
【００１４】
丁合部１９は、各用紙を冊子状に綴じる際の糊代となる部分であり、各用紙１１〜１５は、図１に示すように耳部２０が切り離された状態で丁合部１９において、通常のコレーターを使用してライングリュー糊Ｌによって冊子状に丁合される。
この丁合部１９は、各用紙１１〜１５の左端部側に形成された耳部２０に隣接して設けられた上下方向に延在する帯状の領域であり、その幅方向の寸法は、本実施例では、例えば５ｍｍとなっている。
ミシン目Ｍ４は、丁合部１９と各用紙１１〜１５の他の部分との境界部に形成され、各用紙１１〜１５は、冊子状に綴じられた状態においてもミシン目Ｍ４に沿って１枚ずつ切り取ることができるようになっている。ミシン目Ｍ４は、本実施例では、左端部より、例えば１７．７ｍｍ内側の部分（ミシン目Ｍ５よりさらに５ｍｍ内側の部分）に、各用紙１１〜１５の短辺方向と略平行に形成されている。
【００１５】
次に、図２の各図を参照して封筒付き複写帳票１０を構成する各用紙１１〜１５について個々に説明する。また、各用紙１１〜１５の長辺方向の寸法は、耳部２０を除いた部分の寸法とする。
図２（ａ）は、１枚目のコート紙１１を示す平面図である。
コート紙１１は、略長方形状に形成されたシート材であり、例えば表面に広告、裏面に記入例等が印刷されるものである。本実施例のコート紙１１は、短辺寸法が、例えば８インチ（２０３．２ｍｍ。以下、同じ）、長辺寸法が、例えば２２０ｍｍで形成されている。
【００１６】
図２（ｂ）は、２枚目のトップ紙１２を示す平面図である。３枚目のミドル紙１３の形状は、トップ紙１２と同様であるので、ミドル紙１３の説明にも、図２（ｂ）を使用する。
トップ紙１２及びミドル紙１３は、封筒付き複写帳票１０のうち、申込用紙の部分であり、ボトム紙１４を含めて３枚重ねの複写シートになっている。
トップ紙１２は、表面に記入者が自筆で必要事項を記入するための用紙であり、裏面に顕色剤層が形成されている。ミドル紙１３は、例えば金融機関等の書類送付先が保有する用紙であり、表面に発色剤層が形成され、裏面に顕色剤層が形成されている。これらのトップ紙１２及びミドル紙１３は、ミシン目Ｍ１（開封用切り取り予定線）を備えている。
【００１７】
トップ紙１２及びミドル紙１３の長辺寸法は、後述するタック紙１５の周縁部に形成される接着代に重ならないように設定されており、本実施例では、タック紙１５の長辺寸法より、例えば１２ｍｍ短い２０８ｍｍとなっている。
トップ紙１２及びミドル紙１３の短辺寸法は、耳部２０及び丁合部１９の部分では、コート紙１１と同様に形成され、本実施例では、８インチとなっている。一方、ミシン目Ｍ４より右側に形成された必要事項記入部の短辺寸法は、必要事項記入部の上端及び下端部分がタック紙１５の上端及び下端部分に形成された接着代にそれぞれ重なり、かつ、接着代の一部がタック紙１５の周縁部に残るように設定されている。この必要事項記入部の短辺寸法は、本実施例では、その上端及び下端部分が耳部２０及び丁合部１９に比べてそれぞれ、例えば０．５インチ（１２．７ｍｍ）短くなるように裁断されており、全体では、例えば７インチ（１７７．８ｍｍ）になっている。
ミシン目Ｍ１は、トップ紙１２及びミドル紙１３の接着代と重なる部分より内側の部分に、これらの長辺方向と略平行に形成され、トップ紙１２及びミドル紙１３は、ミシン目Ｍ１に沿って接着代に重なる部分と重ならない部分とで分割できるようになっている。ミシン目Ｍ１は、本実施例では、トップ紙１２及びミドル紙１３の必要事項記入部における上端部及び下端部からそれぞれ、例えば０．５インチ内側の部分に形成されている。
【００１８】
図２（ｃ）は、４枚目のボトム紙１４を示す平面図である。
ボトム紙１４は、記入者用の控え用紙となり、表面に発色剤層が形成されている。このボトム紙１４は、控え用紙なので接着代との関係を考慮する必要がなく、その長辺寸法は、本実施例では、コート紙１１と同様に、例えば２２０ｍｍとなっている。一方、短辺寸法は、他の複写シート（トップ紙１２及びミドル紙１３）と同様に記入部の上端及び下端部分が裁断されており、本実施例では、例えば７インチとなっている。
【００１９】
図２（ｄ）は、５枚目のタック紙１５を示す平面図である。
タック紙１５は、裏面に送付先の住所等が記載された封筒用の用紙であり、図２（ｄ）において線Ｃで示される長辺方向略中央部分から表面が内側となるように、２つ折りにされることで封筒化するようになっている。このタック紙１５は、トップ紙１１と略同寸法の長方形状に形成され、本実施例では、長辺寸法が、例えば２２０ｍｍ、短辺方向寸法が、例えば８インチとなっている。
タック紙１５は、基材シート１６と、接着剤層１７と、剥離シート１８とが、裏面側からこの順に重なって配置された３層構造の用紙であり、ミシン目Ｍ２及びミシン目Ｍ３（開封用切り取り予定線）、剥離用切り取り予定線２１を備えている。
【００２０】
基材シート１６は、タック紙１５のうち最も裏面側に配置され、封筒の表紙部分となる用紙である。
接着剤層１７は、基材シート１６を２つ折りにした際に形成される一方の表紙部分と他方の表紙部分とを貼り合わせるために設けられ、基材シート１６の全体にわたって形成されている。
剥離シート１８は、接着剤層１７を保護する用紙であり、接着剤層１７の全体にわたって剥離可能に設けられている。
【００２１】
剥離用切り取り予定線２１は、タック紙１５に表出する接着代の領域を決定するものであって、接着代がタック紙１５の上端部、下端部、及び、右端部の周縁部において、それぞれの端部に沿って帯状に延在して形成されるように剥離シート１８に設けられる。
また、この接着代は、前述のように、各用紙１１〜１５が冊子状に綴じられた状態でトップ紙１１及びミドル紙１２の右端部に重ならず、かつ、これらのミシン目Ｍ１より外側の部分に重なるように設定されている。
本実施例では、剥離用切り取り予定線２１は、剥離シート１８の上端部及び下端部からそれぞれ、例えば１５ｍｍ内側（右端部から、例えば５ｍｍの部分は除く）に長辺方向と略平行に形成されると共に、剥離シート１８の右端部から、例えば５ｍｍ内側（上下端部から、例えば１５ｍｍの部分は除く）に短辺方向と略平行に形成されている。
トップ紙１２及びミドル紙１３は、各用紙１１〜１５を冊子状に綴じた状態で、記入部の上端及び下端部分が、例えば２．３ｍｍの幅分接着代と重なるようになっており、接着代は、タック紙１５の上端部及び下端部に沿って、１２．２ｍｍの幅方向寸法で帯状に表出するようになっている。
【００２２】
ミシン目Ｍ２は、封筒部分であるタック紙１５を開封する際の長辺方向の切り取り予定線となるものであり、各用紙１１〜１５を冊子状に綴じた状態でトップ紙１２及びミドル紙１３のミシン目Ｍ１と重なるように形成される。ミシン目Ｍ２は、本実施例では、タック紙１５の上端部及び下端部からそれぞれ、例えば１インチ（２５．４ｍｍ）内側の部分（剥離用切り取り予定線２１よりさらに、例えば１０．４ｍｍ内側）に長辺方向と略平行に形成されている。
ミシン目Ｍ３は、ミシン目Ｍ４と共に、タック紙１５を開封する際の短辺方向の切り取り予定線となるものであり、タック紙１５を２つ折りにした状態で、ミシン目Ｍ４と重なるようになっている。ミシン目Ｍ３は、本実施例では、タック紙１５の右端部から、例えば５ｍｍ内側の部分に短辺方向と略平行に形成されている。
【００２３】
以下、この封筒付き複写帳票１０の使用方法について説明する。
封筒付き複写帳票１０は、１枚目のコート紙１１が丁合部１９からミシン目Ｍ４に沿って切り離され、２枚目のトップ紙１２に必要事項が記入される。トップ紙１２に記入された事項は、トップ紙１２下面の顕色剤層及びミドル紙１３上面の発色剤層を介してミドル紙１３に複写されると共に、ミドル紙１３下面の顕色剤層及びボトム紙１４上面の発色剤層を介してボトム紙１４に複写される。ボトム紙１４は、記入者の控え用紙なので記入後に切り離される。
【００２４】
タック紙１５は、剥離シート１８のうち、剥離用紙切り取り予定線２１より外側の部分が剥がされることで左端部を除く周縁部に接着剤層１７が表出し、ミドル紙１３は、その上端及び下端部分であって、ミシン目Ｍ１より外側の部分が接着剤層１７に貼り付く。
次いで、タック紙１５は、表面が内側となるように長辺方向略中央部分で２つ折りされることで、ミシン目Ｍ４とミシン目Ｍ５とが重なった状態で接着剤層１７が貼り合わされ、トップ紙１２は、その上端及び下端部分であって、ミシン目Ｍ１より外側の部分が接着剤層１７に貼り付く。
これにより、封筒付き複写帳票１０は、トップ紙１２及びミドル紙１３を内包する封書形態に変形し、投函される。
【００２５】
また、この封筒付き複写帳票１０は、送付先の金融機関等によって、表紙であるタック紙１５に形成されたミシン目Ｍ２〜４に沿って開封される。ミシン目Ｍ２、は、トップ紙１２及びミドル紙１３に形成されたミシン目Ｍ１と重なる位置に形成されており、トップ紙１２及びミドル紙１３は、タック紙１５から切り離される。
【００２６】
以上説明したように、本実施例の封筒付き複写帳票１０によれば以下のような効果がある。
（１）タック紙１５は、２つ折りした際に内側となる面の周縁部に接着剤層１７が形成され、２つ折りすることで複写シート（トップ紙１２及びミドル紙１３）を内側に挟み込むと共に、接着剤層１７が貼り合わされ、これにより簡単に封筒形態へ変形する。このように、封筒付き複写帳票１０は、複写シートを切り取ることなく容易に封緘できる。
（２）封筒部分は、基材シート１６、接着剤層１７、剥離シート１８からなる一枚のタック紙１５により形成されるので、封緘用の両面テープ等を使用しないで済み、構造が簡単である。
（３）封筒部分（タック紙１５）は、ミシン目Ｍ２〜４に沿って分割することができるので、開封が簡単である。
（４）タック紙１５を２つ折りにすると、トップ紙１２及びミドル紙１３は、上端及び下端部分が接着剤層１７に挟み込まれ、タック紙１５に貼り付くので、郵送の途中に封筒（タック紙１５）内で動くことがなく、開封用のミシン目Ｍ２に重なることがないので、開封の際に誤って破損することがない。
【００２７】
本発明は、以上説明した実施例に限定されることなく、種々の変形や変更が可能であって、それらも本発明の均等の範囲内である。
例えば、本実施例の封筒付き複写帳票１０における封筒部分は、基材シート１６の全面に接着剤層が形成されたタック紙１５であったが、接着剤層が基材シートの少なくとも周縁部に形成されていればタック紙でなくてもよい。
また、本実施例の封筒付き複写帳票１０は、合計５ｐｔで構成されているが、トップ紙１２や複写シート１２〜１４を追加して、例えば６ｐｔや７ｐｔとしてもよい。
さらに、各用紙１１〜１５の寸法や接着代の寸法は、封筒付き複写帳票の使用態様に応じて任意に変更可能である。
【図面の簡単な説明】
【００２８】
【図１】本発明による封筒付き複写帳票の実施例を示す側面図である。
【図２】図１の封筒付き複写帳票を構成する各用紙を個別に示す平面図である。
【図３】図１の封筒付き複写帳票における各用紙の配置を示す分解図である。
【符号の説明】
【００２９】
１０    封筒付き複写帳票
１１    コート紙
１２    トップ紙
１３    ミドル紙
１４    ボトム紙
１５    タック紙
１６    基材シート
１７    接着剤層
１８    剥離シート
２１    剥離用切り取り予定線
Ｍ１〜Ｍ５  ミシン目
【図１】
2006315358.tif 000003
【図２】
2006315358.tif 000004
【図３】
2006315358.tif 000005